Podtech/llm-jp-corpus-v4-ja_patent huggingface dataset:
【手続補正書】
【提出日】令和1年8月16日(2019.8.16)
【手続補正１】
【補正対象書類名】特許請求の範囲
【補正対象項目名】全文
【補正方法】変更
【補正の内容】
【特許請求の範囲】
【請求項１】
溶液であって、
（ａ）約０．５〜０．９ｍＭのＣａＣｌ２（塩化カルシウム）、約０．２〜０．４ｍＭのＭｇＣｌ２（塩化マグネシウム）、約１．６〜２．４ｍＭのＫＣｌ（塩化カリウム）、約０．８〜１．２ｍＭのクエン酸ナトリウム、約１３〜１９ｍＭのデキストロース、および約１１６〜１７４ｍＭのＮａＣｌ（塩化ナトリウム）、または
（ｂ）約０．６８〜１．０２％のＮａＣｌ（塩化ナトリウム）、約０．００８〜０．０１２％のＣａＣｌ２二水和物（塩化カルシウム二水和物）、約０．０１２〜０．０１８％ＫＣｌ（塩化カリウム）、約０．００４８〜０．００７２％のＭｇＣｌ２六水和物（塩化マグネシウム六水和物）、約０．０２８〜０．０４２％のクエン酸ナトリウム二水和物、および約０．２３〜０．３５％のデキストロース、
を含む、前記溶液。
【請求項２】
溶液が、
（ａ）約０．７ｍＭのＣａＣｌ２、約０．３ｍＭのＭｇＣｌ２、約２ｍＭのＫＣｌ、約１ｍＭのクエン酸ナトリウム、約１６ｍＭのデキストロース、および約１４５ｍＭのＮａＣｌ、または
（ｂ）約０．８５％のＮａＣｌ、約０．０１％のＣａＣｌ２二水和物、約０．０１５％ＫＣｌ、約０．００６％のＭｇＣｌ２六水和物、約０．０３５％のクエン酸ナトリウム二水和物、および約０．２９％のデキストロース、
を含む、請求項１に記載の溶液。
【請求項３】
溶液がさらに、
粘弾性ポリマー、任意にここで、前記ポリマーの濃度が０．００５〜５％ｗ／ｖまたは約０．０５％ｗ／ｖであり、任意にここで、前記ポリマーはヒアルロン酸またはその塩もしくは溶媒和物であり、さらに任意にここで、前記ポリマーはヒアルロン酸ナトリウムである、
を含む、請求項１または２に記載の溶液。
【請求項４】
溶液が、
（ａ）少なくとも４８時間、少なくとも７２時間、少なくとも９６時間、少なくとも１２０時間、少なくとも１４４時間、少なくとも１週間、少なくとも２週間、少なくとも３週間、または少なくとも１ヶ月、２５℃で、溶質の測定可能な沈殿および／または溶液中に保存された細胞の生残および生存能をサポートする溶液の能力の測定可能な損失なしに保存され得る、
および／または
（ｂ）少なくとも４８時間、少なくとも７２時間、少なくとも９６時間、少なくとも１２０時間、少なくとも１４４時間、少なくとも１週間、少なくとも２週間、少なくとも３週間、または少なくとも１ヶ月、２〜８℃で、溶質の測定可能な沈殿および／または溶液中に保存された細胞の生残および生存能をサポートする溶液の能力の測定可能な損失なしに保存され得る、
請求項１〜３のいずれか一項に記載の溶液。
【請求項５】
細胞集団をさらに含む、請求項１〜３のいずれか一項に記載の溶液であって、任意にここで、細胞集団が、
（ａ）対象への移植に適しており、さらに任意にここで、対象の眼への移植に適しており、および／または
（ｂ）ＲＰＥ細胞を含み、および／または
（ｃ）光受容体細胞を含み、および／または
（ｄ）間葉系細胞を含む、
前記溶液。
【請求項６】
請求項１〜４のいずれか一項に記載の溶液中に細胞集団を含む調製物を調製する方法であって、方法が、細胞集団を溶液と接触させることを含み、任意にここで、方法が、凍結保存またはペレット化された細胞の集団を溶液と接触させて、細胞を再構成することを含む、前記方法。
【請求項７】
請求項６に記載の方法であって、
細胞調製物を、少なくとも４時間、少なくとも６時間、少なくとも１２時間、少なくとも１８時間、少なくとも２４時間、少なくとも３６時間、少なくとも４８時間、少なくとも６０時間、または少なくとも７２時間保存することをさらに含む、
前記方法。
【請求項８】
細胞調製物は、保存の後に対象に投与するのに適しており、任意にここで、投与することが、細胞調製物を対象の眼に注入することを含む、請求項７に記載の方法。
【請求項９】
請求項１〜４のいずれか一項に記載の溶液中に細胞集団を含む医薬組成物であって、対象への投与に適している、前記医薬組成物。
【請求項１０】
請求項１〜５のいずれか一項に記載の溶液、または、医薬における使用ための請求項９に記載の医薬組成物であって、
（ｉ）使用が、溶液または医薬組成物を対象の眼に投与することを含み、任意にここで、対象は網膜疾患を有する、および／または
（ｉｉ）使用が、少なくとも４時間、少なくとも６時間、少なくとも１２時間、少なくとも２４時間、少なくとも３６時間、少なくとも４８時間の調製物の保存後に、溶液または医薬組成物を対象に投与することを含み、任意にここで、対象は網膜疾患を有する、および／または
（ｉｉｉ）溶液が、対象への投与に適している、対象の眼への投与に適している、および／または細胞を対象の眼に移植するのに適している、任意にここで、対象は網膜疾患を有する、および／または
（ｉｖ）溶液が、実質的に発熱物質を含まない、および／または
（ｖ）溶液が、滅菌されている、および／または
（ｖｉ）溶液が、灌流、細胞再構成、細胞保存、細胞輸送、および／または対象への投与のためのものである、任意にここで、対象は網膜疾患を有する、
前記溶液または医薬組成物。
【請求項１１】
請求項６〜８のいずれか一項に記載の方法によって調製された細胞調製物、または、網膜疾患を有する対象の処置における使用のための請求項９に記載の医薬組成物であって、任意にここで、網膜疾患が、桿体もしくは錐体ジストロフィー、網膜変性、網膜色素変性症、糖尿病性網膜症、黄斑変性、レーバー先天性黒内障、またはシュタルガルト病である、前記細胞調製物または医薬組成物。
【請求項１２】
キットであって、
（ａ）請求項１〜４のいずれか一項に記載の溶液；
（ｂ）細胞集団を（ａ）の溶液と接触させて細胞調製物を生成するための、説明書；および
（ｃ）（ｂ）の接触のためのおよび／または（ｂ）の細胞調製物を保存するための容器、任意にここで、（ａ）の溶液および容器が、対象への移植のための（ｂ）の細胞調製物の使用に好適である、
を含む、前記キット。
【手続補正書】
【提出日】令和1年8月6日(2019.8.6)
【手続補正１】
【補正対象書類名】特許請求の範囲
【補正対象項目名】全文
【補正方法】変更
【補正の内容】
【特許請求の範囲】
【請求項１】
有効成分としてチモシンβ4およびクエン酸またはその塩を含有する、角膜損傷の予防または治療用組成物。
【請求項２】
クエン酸の塩が、クエン酸ナトリウムである、請求項１に記載の組成物。
【請求項３】
クエン酸またはその塩を、チモシンβ4の1重量部当たり、10〜120重量部の量で含む、請求項１に記載の組成物。
【請求項４】
酢酸、アスコルビン酸およびそれらの塩からなる群から選択される少なくとも1つの有機酸をさらに含む、請求項１に記載の組成物。
【請求項５】
有機酸が、酢酸またはその塩である、請求項４に記載の組成物。
【請求項６】
有機酸を、クエン酸またはその塩100重量部当たり、15〜70重量部の量で含む、請求項５に記載の組成物。
【請求項７】
組成物の総体積に基づいて、0.05〜0.5％(w/v)の量でチモシンβ4を含み、0.08〜2.0mlの1日総投与量で投与される、請求項１〜６のいずれかに記載の組成物。
【請求項８】
組成物の総体積に基づいて、1.0％(w/v)〜10.0％(w/v)の量でクエン酸またはその塩を含み、0.1〜4.0mlの1日総投与量で投与される、請求項１〜６のいずれかに記載の組成物。
【請求項９】
請求項１〜８のいずれかに記載の組成物を含む眼科用製剤。
【手続補正２】
【補正対象書類名】明細書
【補正対象項目名】００４９
【補正方法】変更
【補正の内容】
【００４９】
本発明の態様を、以下、さらに記載する：
［項１］
有効成分としてチモシンβ4およびクエン酸またはその塩を含有する、角膜損傷の予防または治療用組成物。
［項２］
クエン酸の塩が、クエン酸ナトリウムである、上記項１に記載の組成物。
［項３］
クエン酸またはその塩を、チモシンβ4の1重量部当たり、10〜120重量部の量で含む、上記項１に記載の組成物。
［項４］
酢酸、アスコルビン酸およびそれらの塩からなる群から選択される少なくとも1つの有機酸をさらに含む、上記項１に記載の組成物。
［項５］
有機酸が、酢酸またはその塩である、上記項４に記載の組成物。
［項６］
有機酸を、クエン酸またはその塩100重量部当たり、15〜70重量部の量で含む、上記項５に記載の組成物。
［項７］
上記項１〜６のいずれか1つに記載の組成物を含む眼科用製剤。
［項８］
上記項１〜６のいずれか1つに記載の組成物を対象に投与することを含む、角膜損傷の治療方法。
［項９］
組成物が、組成物の総体積に基づいて、0.05〜0.5％(w/v)の量でチモシンβ4を含み、0.08〜2.0mlの1日総投与量で投与される、上記項８に記載の方法。
［項１０］
組成物が、組成物の総体積に基づいて、1.0％(w/v)〜10.0％(w/v)の量でクエン酸またはその塩を含み、0.1〜4.0mlの1日総投与量で投与される、上記項８に記載の方法。
［項１１］
角膜損傷を予防または治療するための医薬の製造のための、上記項１〜６のいずれか1つに記載の組成物の使用。
発明の形態
以下、本発明をより明確に理解するために、以下の実施例によって本発明をさらに詳細に説明する。しかしながら、本発明の実施例は、さまざまな変形または変更を含むことができ、本発明の範囲は以下の実施例の範囲内に限定されると解釈されるものではない。
【手続補正書】
【提出日】令和1年7月5日(2019.7.5)
【手続補正１】
【補正対象書類名】特許請求の範囲
【補正対象項目名】全文
【補正方法】変更
【補正の内容】
【特許請求の範囲】
【請求項１】
式（Ｉ）の化合物：
【化１】
2018523644.tif 000001
またはその薬学的に許容可能な塩。
【請求項２】
式（Ｉ）の化合物を調製する方法であって、以下の反応スキーム
【化２】
2018523644.tif 000002
に従って、式Ｒ１の化合物を、式Ｒ２の４−メトキシ酪酸メチルと反応させる工程を含む、方法。
【請求項３】
前記反応がＮＨ４Ｃｌに基づいた触媒の存在下で実施される、請求項２に記載の方法。
【請求項４】
ＮＨ４Ｃｌが試薬Ｒ１の重量に対して８〜１２重量％の量で加えられる、請求項３に記載の方法。
【請求項５】
試薬Ｒ１およびＲ２が等モルである、請求項２〜４のいずれか一項に記載の方法。
【請求項６】
前記反応が１２０〜１７０℃の温度で実施される、請求項２〜５のいずれか一項に記載の方法。
【請求項７】
試薬４−メトキシ酪酸メチルＲ２が、以下の反応スキーム：
【化３】
2018523644.tif 000003
に従って、溶媒として好ましくは硫酸およびメタノールを使用して、酸性環境中でγ−ブチロラクトンＲ３を、オルトギ酸メチルＲ４と反応させることによって調製される、請求項２〜６のいずれか一項に記載の方法。
【請求項８】
薬物依存症の予防および／または治療用の医薬を製造するための式（Ｉ）を有する化合物
【化４】
2018523644.tif 000004
またはその薬学的に許容可能な塩の使用。
【請求項９】
強硬症、睡眠発作、不眠症、閉塞性睡眠時無呼吸症候群、鬱病、不安症、統合失調症に関連する不眠症、過剰な鎮静作用、本態性振戦、慢性疲労症候群、慢性的な不眠症または有害物質からの神経防護作用から選択される障害の予防または治療用の医薬を製造するための請求項１に記載の式（Ｉ）の化合物またはその薬学的に許容可能な塩の使用。
【請求項１０】
アルコール乱用、アルコール依存症、アルコール使用障害の予防または治療用の医薬を製造するための請求項１に記載の式（Ｉ）の化合物またはその薬学的に許容可能な塩の使用。
【請求項１１】
好ましくは５０〜５００ｍｇの量で、請求項１に記載の式（Ｉ）の化合物と、薬学的に許容可能な担体とを含む医薬組成物。
【手続補正書】
【提出日】令和1年7月12日(2019.7.12)
【手続補正１】
【補正対象書類名】特許請求の範囲
【補正対象項目名】全文
【補正方法】変更
【補正の内容】
【特許請求の範囲】
【請求項１】
親油性化合物を送達するために使用される、水性懸濁液中で長期安定性を示す、直径がｌμｍ未満のナノカプセルであって、前記ナノカプセルは：
ａ）親油性化合物を送達するための液状コアであって、前記コアの材料は、オレイン酸、パルミチン酸イソプロピル、脂肪酸、天然由来の油および抽出物、特に、亜麻仁油、大豆油、アルガン油ならびに／またはこれらの混合物から選択される、液状コアと、
ｂ）疎水変性された、キトサン、キトサンオリゴ糖、デキストラン、カラギーナン、アミロース、デンプン、ヒドロキシプロピルセルロース、プルランおよびグリコサミノグリカンならびにこれらの誘導体から選択されるチャージされた多糖類から作製されたシェルと、
を含む、ナノカプセル。
【請求項２】
前記変性された多糖類の疎水性鎖の置換度は０．１〜４０％の間で変化する、請求項１に記載のナノカプセル。
【請求項３】
前記カプセルの前記シェルは：Ｈｙ−Ｃｘ、ＣＣｈｉｔ−Ｃ１２またはｏＣｈ−Ｃ１８−ｓｕｌｆから選択される疎水変性された多糖類から作製されており、式中：Ｈｙ−Ｃｘ（ｘ＝６または８または１２または１８）は、次に示す構造：
【化１】
2018523642.tif 000001
（式中、ｐは、２、３、５または８から選択される整数であり、ｍは、Ｈｙ−Ｃ６およびＨｙ−Ｃ８の場合は約１０の整数であり、Ｈｙ−Ｃ１２およびＨｙ−Ｃ１８ｘの場合は約２２の整数であり、Ｈｙ−Ｃ１８の場合は約７の整数であり、ｎは、Ｈｙ−Ｃ６およびＨｙ−Ｃ８の場合は約４７２の整数であり、Ｈｙ−Ｃ１２およびＨｙ−Ｃ１８ｘの場合は約４６０の整数であり、Ｈｙ−Ｃ１８の場合は約４７５の整数である）を有するヒアルロン酸塩誘導体であり、
ＣＣｈｉｔ−Ｃ１２は、次に示す構造：
【化２】
2018523642.tif 000002
（式中、ｍは、約２００の整数であり、ｎは、約６の整数であり、ｐは、約８８の整数である（キトサンのモル質量の計算値は１０００００ｇ／ｍｏｌである））を有するカチオン変性されたキトサンのドデシル誘導体であり、
ｏＣｈ−Ｃ１８−ｓｕｌｆは、次に示す構造：
【化３】
2018523642.tif 000003
（式中、ｍは、約９の整数であり、ｎは、約１の整数であり、ｐは、約５の整数である）で表されるアニオン変性されたキトサンオリゴ糖のオクタデシル誘導体である、請求項１に記載のナノカプセル。
【請求項４】
前記カプセルの前記シェルは、キトサン、デキストラン、デンプン、ヒドロキシプロピルセルロースおよびグリコサミノグリカンから選択される天然由来の生体適合性高分子電解質またはその誘導体、ならびにポリ−Ｌ−リジン、ポリオルニチン、ポリ（Ｄ−グルタミン酸）、ポリ（乳酸）の誘導体、ポリスチレンスルホン酸塩、ポリ（ジアリルジメチルアンモニウムクロリド）、ポリアリルアミン塩酸塩またはポリエチレンイミンから選択される合成高分子電解質から構成される高分子電解質の超薄膜で覆われている、請求項１に記載のナノカプセル。
【請求項５】
蛍光染色液、ビタミンまたは医薬活性成分を油コアに内包したまま送達することができる、請求項１に記載のナノカプセル。
【請求項６】
請求項１〜５に記載のカプセルを含む水性懸濁液。
【請求項７】
親油性化合物を送達するためのナノカプセルを調製するためのプロセスであって：
ａ）水相および油相を、１０：１〜１００００：１の範囲で変化するｖ／ｖ比で混合するステップと；
ｂ）機械的に（混合または振盪による）または超音波により支援する乳化ステップと；
を含み、水相は、キトサン、キトサンオリゴ糖、デキストラン、カラギーナン、アミロース、デンプン、ヒドロキシプロピルセルロース、プルランおよびグリコサミノグリカン（例えば、ヒアルロン酸、ヘパラン硫酸、ヘパリン、ケラタン硫酸、コンドロイチン硫酸、デルマタン硫酸）ならびにこれらの誘導体から選択される多糖類の溶液であり、ｐＨは２〜１２の範囲にあり、濃度は０．１〜３０ｇ／Ｌであり、イオン強度は０．００１〜３Ｍであり、一方、油相は、オレイン酸、パルミチン酸イソプロピル、脂肪酸、ＰＲＯＶＩＮＯＬ、天然由来の油および抽出物、特に、亜麻仁油、大豆油、アルガン油ならびに／またはこれらの混合物から選択されるプロセスであって、低分子量界面活性剤を使用することなく実施されるプロセス。
【請求項８】
超音波処理は４℃〜４０℃の温度で１５分間〜２時間実施される、請求項７に記載のプロセス。
【請求項９】
超音波処理は、断続方式で実施され、超音波パルスの持続時間はその間の休止時間の２分の１の長さである、請求項７に記載のプロセス。
【請求項１０】
前記ナノカプセルは、反対の電荷を有する高分子電解質の連続的な吸着に基づく交互吸着法により得られる高分子電解質の超薄膜で覆われており、濃度が０．１ｇ／Ｌ〜３０ｇ／Ｌの範囲にあり、イオン強度が０．００１〜３Ｍの範囲で変化する、キトサン、デキストラン、デンプン、ヒドロキシプロピルセルロースおよびグリコサミノグリカンから選択される天然由来の生体適合性多糖類またはその誘導体、ならびにポリ−Ｌ−リジン、ポリオルニチン、ポリ（Ｄ−グルタミン酸）、ポリ（乳酸）の誘導体、ポリスチレンスルホン酸塩、ポリ（ジアリルジメチルアンモニウムクロリド）、ポリアリルアミン塩酸塩またはポリエチレンイミンから選択される合成高分子電解質が使用される、請求項７に記載のプロセス。
【請求項１１】
内包された疎水性化合物は油相に溶解している、請求項７に記載のプロセス。
【手続補正書】
【提出日】令和1年8月5日(2019.8.5)
【手続補正１】
【補正対象書類名】特許請求の範囲
【補正対象項目名】全文
【補正方法】変更
【補正の内容】
【特許請求の範囲】
【請求項１】
B型肝炎ウイルス遺伝子の発現を抑制するための組成物であって、
a）MLP-(L-T)x（式中、
MLPはメリチン様ペプチドであり、
-L-Tは、-CO-C(CH3)=C(T)-COOHまたは-CO-C(T)=C(CH3)-COOHで表される構造を有し、ここで、Tは、アシアロ糖タンパク質受容体に対する親和性を持つ標的化リガンドを含み、
xは、MLPの集団の第一級アミンの数の80％超である）、
b）アンチセンス鎖とセンス鎖を含み、前記アンチセンス鎖が表1Aに提示された任意のアンチセンス配列のヌクレオチド2〜18を含む第1のHBV RNAiトリガー、及び
c）アンチセンス鎖とセンス鎖を含み、前記アンチセンス鎖が表1Aに提示された任意のアンチセンス配列のヌクレオチド2〜18を含む第2のHBV RNAiトリガー
とを含む、組成物。
【請求項２】
前記第1のHBV RNAiトリガーが、表1Bに提示された対応する任意のセンス配列のヌクレオチド2〜18を含有するセンス鎖を含み、前記センス鎖は、任意に標的化基に連結され；前記第2のHBV RNAiトリガーが、表1Bに提示された対応する任意のセンス配列のヌクレオチド2〜18を含有するセンス鎖を含み、前記センス鎖は、任意に標的化基に連結されている、請求項1に記載の組成物。
【請求項３】
前記第1のHBV RNAiトリガーがAD01385を含み、前記第2のHBV RNAiトリガーがAD01386を含む、請求項2に記載の組成物。
【請求項４】
前記MLPが、配列ID番号650、配列ID番号644、配列ID番号654、配列ID番号694、配列ID番号700、配列ID番号701、配列ID番号751、又は配列ID番号755のアミノ酸配列を含む、請求項1〜3のいずれか1項に記載の組成物。
【請求項５】
TがN-アセチルガラクトサミン（GalNAc）を含む、請求項4に記載の組成物。
【請求項６】
-(L-T)が、
【化１】
2018523668.tif 000001
で表される構造を有する（式中、n＝１である）、請求項5に記載の組成物。
【請求項７】
前記第1のHBV RNAiトリガーの少なくとも1つが修飾されている、請求項1〜6のいずれか1項に記載の組成物。
【請求項８】
前記第2のHBV RNAiトリガーの少なくとも1つのヌクレオチドが修飾されている、請求項1〜7のいずれか1項に記載の組成物。
【請求項９】
医薬として許容可能な賦形剤をさらに含む、請求項1〜8のいずれか1項に記載の組成物。
【請求項１０】
a）アンチセンス鎖とセンス鎖を含み、前記アンチセンス鎖が、表1Aに提示された任意のアンチセンス配列のヌクレオチド2〜18を含み、前記センス鎖が、表1Bに提示された対応する任意のセンス配列を含む第1のHBV RNAiトリガーと、
b）アンチセンス鎖とセンス鎖を含み、前記アンチセンス鎖が、表1Aに提示された任意のアンチセンス配列のヌクレオチド2〜18を含み、前記センス鎖が、表1Bに提示された対応する任意のセンス配列を含む第2のHBV RNAiトリガー
とを含む組成物。
【請求項１１】
前記センス鎖がガラクトース三量体に共役している、請求項10に記載の組成物。
【請求項１２】
患者においてB型肝炎ウイルス遺伝子の発現を抑制する方法であって、請求項10に記載の組成物を前記患者に投与することを含む方法。
【請求項１３】
前記第1のHBV RNAiトリガーと前記第2のHBV RNAiトリガーを連続的に投与する、請求項12に記載の方法。
【請求項１４】
前記第1のHBV RNAiトリガーと前記第2のHBV RNAiトリガーは一括して投与する、請求項12に記載の方法。
【請求項１５】
HBV感染を治療する方法であって、その治療を必要とする患者に請求項1〜11のいずれか1項に記載の組成物の有効量を投与することを含む方法。
【請求項１６】
HBV感染を治療するための、請求項1〜11のいずれか1項に記載の組成物の利用。
【請求項１７】
HBV感染を治療するための薬を製造するための、請求項1〜11のいずれか1項に記載の組成物の利用。
【手続補正書】
【提出日】令和1年7月9日(2019.7.9)
【手続補正１】
【補正対象書類名】特許請求の範囲
【補正対象項目名】全文
【補正方法】変更
【補正の内容】
【特許請求の範囲】
【請求項１】
自転車用ハンドルバーに取り付ける自転車用ライトであって，
細長いライトパイプ（18），
上記ライトパイプを，上記ハンドルバーに隣接する上記ライトパイプの反射後面（27）とともに上記自転車用ハンドルバーに概略平行に取り付け，これによって上記反射後面から反射された光を上記ハンドルバーから離れる方向に向けて上記ライトパイプから出す，取付け手段（20，21），
光を上記ライトパイプ（18）の端部に向けて出射するように取り付けられたＬＥＤ（26），
上記ＬＥＤ（26）と熱接触するヒートシンク（24）であって，上記自転車用ライトが上記取付け手段（20，21）によって自転車用ハンドルバーに取り付けられたときに，上記ハンドルバーと熱接触して上記ＬＥＤからの熱を伝導によって上記自転車用ハンドルバーに伝えることが可能に配置されているヒートシンク（24）を備えている，
自転車用ライト。
【請求項２】
上記ライトパイプ（25）の両端部のそれぞれに光を出射するように取り付けられる２つのＬＥＤ（26），
それぞれのＬＥＤ（26）にそれぞれ熱接触する２つのヒートシンク（24）を備えている，
請求項１に記載の自転車用ライト。
【請求項３】
上記ライトパイプおよび上記ハンドルバーの少なくとも一部を包囲するように構成されるハウシング（５，６）をさらに備え，上記ハウジングが上記ライトパイプによって出射される光を通過させる透明シールド（17）を備えている，請求項１または２に記載の自転車用ライト。
【請求項４】
上記ハウジングが，上記ライトパイプの全長および対応する長さのハンドルバーを包囲するように構成されている，請求項３に記載の自転車用ライト。
【請求項５】
上記ハウジングがさらに上記透明シールドの上方において前方に延びる不透明カバーピーク（15）を備え，自転車に取り付けられたときに上記自転車用ライトによって出射される光を上記自転車の乗り手によって見えなくする，請求項３または４に記載の自転車用ライト。
【請求項６】
上記ライトパイプの上記反射後面（27）が，上記ライトパイプの外に光を向ける集光および反射素子を備えている，請求項１から５のいずれかに記載の自転車用ライト。
【請求項７】
上記集光および反射素子が，上記ライトパイプ内に向けて突出する一連の角度付ファセットを備えている，請求項６に記載の自転車用ライト。
【請求項８】
上記ライトパイプが概略管状かつ固体透明プラスチック部材である，請求項１から７のいずれかに記載の自転車用ライト。
【請求項９】
ハンドルバーを含み，ハンドルバーに取り付けられた請求項１から８のいずれかに記載の自転車用ライトを有している，自転車。
【誤訳訂正書】
【提出日】令和1年7月12日(2019.7.12)
【誤訳訂正１】
【訂正対象書類名】明細書
【訂正対象項目名】００２９
【訂正方法】変更
【訂正の内容】
【００２９】
第１の取手部１１３と第２の取手部１２３は、アイスクリーム容器１００の蓋部１１０と容器部１２０とを分離する際、レバーの原理を通じて容易に分離し、蓋部１１０と容器部１２０のアイスクリームが触れ合う面を直接に手で取らないようにして、手から発生する熱によりアイスクリームが溶けるか、その圧力によって変形されることを防止する役割を担う。特に、蓋部１１０と容器部１２０とを分離する場合に、容易に開けることができるように、第１の取手部１１３と第２の取手部１２３が重畳しないように、異なる面積で形成することもできる。
【手続補正書】
【提出日】令和1年8月19日(2019.8.19)
【手続補正１】
【補正対象書類名】特許請求の範囲
【補正対象項目名】全文
【補正方法】変更
【補正の内容】
【特許請求の範囲】
【請求項１】
式I：
X-(Y)n      (I)
（式中、
Xは、アミロイドβ結合性化合物であり；
Yはニトロキシドであり；かつ、
nは１〜３の整数である）
の構造を有する化合物の有効量を含む、アミロイドを画像化するための組成物であって、
該組成物は対象に投与されると、前記がアミロイドに結合し、前記化合物に結合したアミロイドが画像化され、画像化されたアミロイドが検出される、組成物。
【請求項２】
前記検出は、前記投与に続き少なくとも60分行われる、請求項１に記載の組成物。
【請求項３】
前記検出は、核磁気共鳴画像法(MRI)、電子常磁性共鳴(EPR)、陽電子放射断層撮影(PET)、又は電子スピン共鳴顕微鏡法(ESRM)の少なくとも１つを含む、請求項１に記載の組成物。
【請求項４】
前記アミロイドは、アミロイドβ凝集体を含む、請求項１に記載の組成物。
【請求項５】
前記アミロイドβ結合性化合物は、
【化１】
2018523657.tif 000001
（式中、
RaおよびRbはそれぞれ独立してH又はC1-4アルキルであり；
ZはI、123I、125I、131I、Br、76Br、77Br、F、18F、および-O-トシルからなる群より選択され；かつ、
qは２〜５の整数である）
からなる群より選択される、請求項１に記載の組成物。
【請求項６】
前記ニトロキシドは、
【化２】
2018523657.tif 000002
からなる群より選択される、請求項１に記載の組成物。
【請求項７】
前記化合物は、
【化３】
2018523657.tif 000003
（式中、R1は、
【化４】
2018523657.tif 000004
からなる群より選択され；かつ、
R2は、OH、OCH3、OCH2CH3、OCH2CH2F、CH3、および(OCH2CH2)3Fからなる群より選択される）
からなる群より選択される、請求項１に記載の組成物。
【請求項８】
前記化合物は、構造：
【化５】
2018523657.tif 000005
（式中、
R1は、メチル又は
【化６】
2018523657.tif 000006
からなる群より選択されるニトロキシドであり；かつ、
R2は、プロピルアミン又は
【化７】
2018523657.tif 000007
ここで、R1およびR2のうち少なくとも一方は、ニトロキシドである。）
を有する、請求項１に記載の組成物。
【請求項９】
前記化合物は、
【化８】
2018523657.tif 000008
（式中、
R1、R2、およびR3は、それぞれ独立して
【化９】
2018523657.tif 000009
からなる群より選択される、請求項１に記載の組成物。
【請求項１０】
前記化合物は、
【化１０】
2018523657.tif 000010
（式中、
R1およびR2はそれぞれ独立してH又は
【化１１】
2018523657.tif 000011
からなる群より選択されるニトロキシドであり、
ここで、R1およびR2のうち少なくとも一方は、ニトロキシドである）
からなる群より選択される、請求項１に記載の組成物。
【請求項１１】
前記化合物は、
【化１２】
2018523657.tif 000012
（式中、
R1およびR2はそれぞれ独立してH、
【化１３】
2018523657.tif 000013
【化１４】
2018523657.tif 000014
からなる群より選択されるニトロキシドであり、
ここで、R1およびR2のうち少なくとも一方は、ニトロキシドである）
からなる群より選択される、請求項１に記載の組成物。
【請求項１２】
前記化合物は、
【化１５】
2018523657.tif 000015
（式中、Rは、
【化１６】
2018523657.tif 000016
からなる群より選択される）
からなる群より選択される、請求項１に記載の組成物。
【請求項１３】
前記化合物は、構造：
【化１７】
2018523657.tif 000017
を有する、請求項１に記載の組成物。
【請求項１４】
前記化合物は、
【化１８】
2018523657.tif 000018
からなる群より選択される、請求項１に記載の組成物。
【請求項１５】
前記化合物は、
【化１９】
2018523657.tif 000019
からなる群より選択される、請求項１に記載の組成物。
【請求項１６】
前記化合物は、
【化２０】
2018523657.tif 000020
からなる群より選択される、請求項１に記載の組成物。
【請求項１７】
前記対象は、治療目的で前記化合物を受けていない、請求項１に記載の組成物。
【請求項１８】
式II：
【化２１】
2018523657.tif 000021
（式中、
R1およびR2はそれぞれ独立してH又は
【化２２】
2018523657.tif 000022
からなる群より選択されるニトロキシドであり、
ここで、R1およびR2のうち少なくとも一方は、ニトロキシドである。）を有する化合物。
【請求項１９】
前記化合物は、
【化２３】
2018523657.tif 000023
からなる群より選択される、請求項１8に記載の化合物。
【請求項２０】
式：
【化２４】
2018523657.tif 000024
（式中、R1およびR2はそれぞれ独立してH、
【化２５】
2018523657.tif 000025
からなる群より選択されるニトロキシドであり、
ここで、R1およびR2のうち少なくとも一方は、ニトロキシドである）を有する化合物。
【請求項２１】
前記化合物は、
【化２６】
2018523657.tif 000026
からなる群より選択される、請求項20に記載の化合物。
【請求項２２】
式：
【化２７】
2018523657.tif 000027
（式中、R1は、
【化２８】
2018523657.tif 000028
からなる群より選択され；かつ、
R2は、OH、OCH3、OCH2CH3、OCH2CH2F、CH3、および(OCH2CH2)3Fからなる群より選択される）を有する化合物。
【請求項２３】
式：
【化２９】
2018523657.tif 000029
（式中、R1は、
【化３０】
2018523657.tif 000030
からなる群より選択され；かつ、
R2は、OH、OCH3、OCH2CH3、OCH2CH2F、CH3、および(OCH2CH2)3Fからなる群より選択される）を有する化合物。
【請求項２４】
【化３１】
2018523657.tif 000031
からなる群より選択される化合物。
【請求項２５】
式I：
X-(Y)n        (I)
（式中、
Xは、アミロイドβ結合性化合物であり；
Yはニトロキシドであり；かつ、
nは１〜３の整数である）
の化合物を含む、アミロイドを画像化するための診断用組成物。
【請求項２６】
請求項１８〜２３のいずれか１項に記載の化合物を含む、疾患を治療するための医薬組成物。
【請求項２７】
前記疾患は、アルツハイマー病である、請求項２６に記載の医薬組成物。
【手続補正書】
【提出日】令和1年7月17日(2019.7.17)
【手続補正１】
【補正対象書類名】特許請求の範囲
【補正対象項目名】全文
【補正方法】変更
【補正の内容】
【特許請求の範囲】
【請求項１】
ＢＡＣＥ酵素の酵素活性部位及び触媒ドメインの両方に結合する二重部位ＢＡＣＥ１阻害剤であって、エキソサイト阻害部分（Ａ’）が、リンカー（Ｌ’）により前記ＢＡＣＥ１阻害剤の活性部位阻害部分（Ｂ’）に結合している二重部位ＢＡＣＥ１阻害剤、又はその薬学的に許容し得る塩。
【請求項２】
Ｌ’が、
ｉ．  −（Ｇｌｙ）ｘ−［式中、ｘは３である］、
ｉｉ．  ＰＥＧ（４）、及び
ｉｉｉ．  −Ｇｌｙ−ＤＬｙｓ−Ｇｌｙ−
からなる群より選択される、請求項１記載の二重部位ＢＡＣＥ１阻害剤。
【請求項３】
Ａ’が、
【化６】
2018523636.tif 000001
からなる群より選択される、請求項１〜２のいずれか一項記載の二重部位ＢＡＣＥ１阻害剤。
【請求項４】
Ａ’が、
【化７】
2018523636.tif 000002
からなる群より選択される、請求項１〜３のいずれか一項記載の二重部位ＢＡＣＥ１阻害剤。
【請求項５】
Ｂ’が、
【化８】
2018523636.tif 000003
からなる群より選択される、請求項１〜４のいずれか一項記載の二重部位ＢＡＣＥ１阻害剤。
【請求項６】
【化９】
2018523636.tif 000004
2018523636.tif 000005
からなる群より選択される、請求項１〜５のいずれか一項記載の阻害剤。
【請求項７】
【化１０】
2018523636.tif 000006
からなる群より選択される、請求項１〜６のいずれか一項記載の阻害剤。
【請求項８】
薬学的に許容し得る塩がトリフルオロアセタートである、請求項１〜７のいずれか一項記載の阻害剤。
【請求項９】
治療活性物質として使用するための、請求項１〜８のいずれか一項記載の二重部位ＢＡＣＥ１阻害剤。
【請求項１０】
上昇したβ−アミロイドレベル及び／又はβ−アミロイドオリゴマー及び／又はβ−アミロイド斑及びさらなる沈着物によって特徴付けられる疾患及び障害、特にアルツハイマー病の治療的及び／又は予防的処置のための治療活性物質として使用するための、請求項１〜８のいずれか一項記載の二重部位ＢＡＣＥ１阻害剤。
【請求項１１】
請求項１〜８のいずれか一項記載の二重部位ＢＡＣＥ１阻害剤並びに薬学的に許容し得る担体及び／又は薬学的に許容し得る補助物質を含む医薬組成物。
【請求項１２】
上昇したβ−アミロイドレベル及び／又はβ−アミロイドオリゴマー及び／又はβ−アミロイド斑及びさらなる沈着物によって特徴付けられる疾患及び障害、特にアルツハイマー病の治療的及び／又は予防的処置のための医薬を製造するための、請求項１〜８のいずれか一項記載の二重部位ＢＡＣＥ１阻害剤の使用。
【手続補正書】
【提出日】令和1年6月14日(2019.6.14)
【手続補正１】
【補正対象書類名】特許請求の範囲
【補正対象項目名】全文
【補正方法】変更
【補正の内容】
【特許請求の範囲】
【請求項１】
イオン性浸透圧調整剤と組み合わせた非イオン性浸透圧調整剤、およびカラギーナン成分を抗ウイルス有効成分として含む、鼻づまり解除活性を有し、気道のウイルス感染に対して活性である高浸透圧性の水溶液であって、
前記水溶液は、鼻適合性緩衝剤を含み、そして４．０〜８．０の範囲内のｐＨ値に調整されており、
前記水溶液は、２ｍｇ／ｍｌまで、好ましくは１〜２ｍｇ／ｍｌの濃度のＥＤＴＡを含み、
前記イオン性浸透圧調整剤は、塩化ナトリウム、塩化カリウム、および塩化ナトリウムと塩化カリウムの混合物からなる群から選択され、
前記非イオン性浸透圧調整剤は、単糖類、二糖類、オリゴ糖類、および低分子量ポリオールからなる群から選択され、
前記水溶液は、５００ｍＯｓから１０００ｍＯｓの高浸透圧値、好ましくは６５０から９００ｍＯｓの値に調整され、
前記カラギーナン成分は唯一の抗ウイルス活性成分であり、そしてイオタ−カラゲナン、カッパ−カラゲナン、およびイオタ−カラゲナンとカッパ−カラゲナンの混合物から選択され、
前記カラギーナン成分の濃度は、即時使用可能製剤の０．０５〜１％（ｗ/ｖ）（ｇ／Ｌ）、または０．１〜０．５％（ｗ/ｖ）（ｇ／Ｌ）、または０．１〜０．３％（ｗ/ｖ）（ｇ／Ｌ）の範囲であり、
但し、即時使用可能製剤における前記水溶液は、１．５％（ｗ/ｖ）以下、１．２％（ｗ/ｖ）以下、または０．９％（ｗ/ｖ）以下、好ましくは０．９％（ｗ/ｖ）以下の前記イオン性浸透圧調整剤を含有することを条件とする、
ことを特徴とする水溶液。
【請求項２】
前記単糖類および二糖類は、グルコース、フルクトース、スクロース、およびマンノースからなる群から選択され、かつ前記ポリオールは、グリセロール、エリスリトール、マンニトール、ソルビトール、イノシトール、キシリトール、トレイトール、およびマルチトールからなる群から選択される、請求項１に記載の水溶液。
【請求項３】
保存料、抗酸化物資、保水剤、皮膚軟化薬、保湿剤、および香料からなる群から選択される少なくとも１つの生理学的に許容され得る添加物を含む、請求項１または２に記載の水溶液。
【請求項４】
前記非イオン性浸透圧調整剤を前記水溶液全体の１〜１５％（ｗ／ｖ）、または５〜１０％（ｗ／ｖ）の濃度で含む、請求項１〜３のいずれか一項に記載の水溶液。
【請求項５】
前記イオン性浸透圧調整剤を前記水溶液全体の０．１〜１．３％（ｗ／ｖ）、または０．５〜１．２％（ｗ／ｖ）の濃度で含む、請求項１〜４のいずれか一項に記載の水溶液。
【請求項６】
局所投与用に調整された、特に鼻スプレーとして調製された、請求項１〜５のいずれか一項に記載の水溶液。
【請求項７】
鼻づまりの即時遮断解除および上気道のウイルス感染の同時治療に適した医薬の調製における請求項１〜５のいずれか一項に記載の水溶液の使用。
【請求項８】
前記ウイルス感染は、ヒトライノウイルス、ヒトコロナウイルス、パラインフルエンザウイルス、メタニューモウイルス、呼吸器合胞体ウイルス、Ａ型インフルエンザウイルス、Ｂ型インフルエンザウイルス、およびＢ亜型アデノウイルスの少なくとも１つによって引き起こされる、請求項７に記載の水溶液の使用。
【請求項９】
前記医薬が、局所投与用に調整された、特に点鼻薬として調製された、請求項７または８に記載の水溶液の使用。
【手続補正書】
【提出日】平成31年1月15日(2019.1.15)
【手続補正１】
【補正対象書類名】明細書
【補正対象項目名】０１３５
【補正方法】変更
【補正の内容】
【０１３５】
図１９は、一例として、本願による画像欠陥補正システム１０を示す。ビデオカメラのセンサ表面１２がビデオバッファ１４に接続された画像撮影ユニット１３に接続されている。アーチファクト検出ユニット１５とアーチファクト補正ユニット１６が、ビデオバッファ１４に接続されている。ディスプレイ１７がアーチファクト補正ユニット１６に接続されている。破線は、アーチファクト検出ユニット１５の出力をアーチファクト補正ユニット１６への入力として選択的に使用することを示している。
【手続補正書】
【提出日】令和1年8月8日(2019.8.8)
【手続補正１】
【補正対象書類名】特許請求の範囲
【補正対象項目名】全文
【補正方法】変更
【補正の内容】
【特許請求の範囲】
【請求項１】
電池電極を作製するための方法であって、
硫化リチウム前駆体および炭素前駆体を含む前駆体溶液を生成するステップと、
前記前駆体溶液をエアロゾルに転化するステップと、
前記エアロゾルから水分を取り除き、前駆体粒子を生成するステップと、
前記前駆体粒子を第１の反応温度で反応させ、炭酸リチウムを生成するステップと、
前記炭酸リチウムを硫化水素と反応させ、硫化リチウム炭素複合材を生成するステップと
を含む方法。
【請求項２】
ある量の前記硫化リチウム炭素複合材で電極を成形するステップをさらに含む、請求項１に記載の方法。
【請求項３】
前記硫化リチウム前駆体は、硝酸リチウム、酢酸リチウム、及び炭酸リチウムから選択される、請求項１または２に記載の方法。
【請求項４】
前記炭素前駆体は、スクロース、グルコース、及びポリビニルピロリドンから選択される、請求項１から３のいずれか１つに記載の方法。
【請求項５】
前記硫化リチウム前駆体は硝酸リチウムであり、前記炭素前駆体はスクロースである、請求項１から４のいずれか１つに記載の方法。
【請求項６】
前記硫化リチウム前駆体は酢酸リチウムであり、前記炭素前駆体はスクロースである、請求項１から５のいずれか１つに記載の方法。
【請求項７】
前記硫化リチウム前駆体は炭酸リチウムであり、前記炭素前駆体はスクロースである、請求項１から６のいずれか１つに記載の方法。
【請求項８】
前記硫化リチウム炭素複合材は硫化リチウムを約５０容量パーセント〜約６５容量パーセント含む、請求項１から７のいずれか１つに記載の方法。
【請求項９】
前記前駆体粒子の含有水分は２０パーセント未満である、請求項１から８のいずれか１つに記載の方法。
【請求項１０】
前記炭酸リチウムを硫化水素と反応させるステップは、不活性ガスおよび硫化水素を含む気体環境において、前記第１の反応温度より低い第２の反応温度で、前記炭酸リチウムを硫化水素と反応させるステップを含む、請求項１から９のいずれか１つに記載の方法。
【請求項１１】
前記気体環境を作り出すステップをさらに含む、請求項１０に記載の方法。
【請求項１２】
前記気体環境を作り出すステップは、アルゴンと水素を元素硫黄に循環させるステップを含む、請求項１１に記載の方法。
【請求項１３】
炭素マトリクスと、
前記炭素マトリクスに均一に分散された複数の硫化リチウム粒子と、
を含む電極において、前記複数の硫化リチウム粒子は前記電極の約７０重量パーセントを占めている、電極。
【請求項１４】
炭素１グラムにつき約１グラム〜約２．５グラムの範囲内で硫化リチウム粒子を含むように、前記複数のリチウム粒子はエアロゾルスプレー熱分解処理によって前記炭素マトリクスに均一に分散される、請求項１３に記載の電極。
【請求項１５】
請求項１３に記載の第１の電極と、
第２の電極と、
前記第１の電極および前記第２の電極の両方と接触する電解液と、
を含む電池。
【請求項１６】
前記炭素マトリクス中に均一に分散された複数の硫化リチウム粒子は、非結晶質の炭素マトリクス中に分散された複数の硫化リチウム粒子を含む、請求項１５に記載の電池。
【請求項１７】
炭素１グラムにつき約１グラム〜約２．５グラムの範囲内で硫化リチウム粒子を含むように、前記複数のリチウム粒子がエアロゾルスプレー熱分解処理によって均一に分散される、請求項１５から１６のいずれか１つに記載の電池。
【手続補正書】
【提出日】平成30年12月14日(2018.12.14)
【手続補正１】
【補正対象書類名】特許請求の範囲
【補正対象項目名】全文
【補正方法】変更
【補正の内容】
【特許請求の範囲】
【請求項１】
プロセッサに
システムにおけるアプリケーションを実行する手順と、
前記アプリケーションのためにイベントトレースを実行する手順と、
前記イベントトレースからのそれぞれの命令ポインタを分析する手順と、
命令ポインタがメモリのオーファンページに示すかどうかを判断する手順であって、前記メモリのオーファンページは、ロードされたモジュール外、または、前記アプリケーションに関連付けられるメモリ領域外のメモリの領域である、手順と
を実行させるためのコンピュータプログラム。
【請求項２】
前記オーファンページは、前記アプリケーションに関連付けられていないコードの領域である、請求項１に記載のコンピュータプログラム。
【請求項３】
前記オーファンページは、未確認のコードの領域である、請求項１または２に記載のコンピュータプログラム。
【請求項４】
前記システムは、オペレーティングシステム、および、前記イベントトレースを実行する前記オペレーティングシステムの一部である埋め込みアプリケーションを有する、請求項１から３のいずれか一項に記載のコンピュータプログラム。
【請求項５】
前記プロセッサに、
前記命令ポインタが前記アプリケーションに関連付けられていない異常コードを示すかどうかを判断する手順をさらに実行させるための、請求項１から４のいずれか一項に記載のコンピュータプログラム。
【請求項６】
前記イベントトレースは、前記アプリケーションに対して透過的である、請求項１から５のいずれか一項に記載のコンピュータプログラム。
【請求項７】
前記イベントトレースは、ブロックされることなくターゲットアプリケーションが実行を継続するような前記アプリケーションと非同期である、請求項１から６のいずれか一項に記載のコンピュータプログラム。
【請求項８】
前記プロセッサに、
前記命令ポインタがメモリのオーファンページに示した場合、または前記命令ポインタが前記アプリケーションに関連付けられていない異常コードに示した場合、前記アプリケーションを悪意あるものとしてフラグする手順をさらに実行させるための、請求項１から７のいずれか一項に記載のコンピュータプログラム。
【請求項９】
検出モジュールを備え、
前記検出モジュールは、
システムにおけるアプリケーションを実行し、
前記アプリケーションのためにイベントトレースを実行し、
前記イベントトレースからのそれぞれの命令ポインタを分析し、
命令ポインタがメモリのオーファンページに示すかどうかを判断する
ように構成され、前記メモリのオーファンページは、ロードされたモジュール外、または、前記アプリケーションに関連付けられるメモリ領域外のメモリの領域である、装置。
【請求項１０】
前記オーファンページは、前記アプリケーションと関連付けられていないコードの領域である、請求項９に記載の装置。
【請求項１１】
前記オーファンページは、未確認のコードの領域である、請求項９または１０に記載の装置。
【請求項１２】
前記システムは、オペレーティングシステム、および、前記イベントトレースを実行する前記オペレーティングシステムの一部である埋め込みアプリケーションを有する、請求項９から１１のいずれか一項に記載の装置。
【請求項１３】
前記検出モジュールは、
前記命令ポインタが前記アプリケーションに関連付けられていない異常コードに示すかどうかを判断するようにさらに構成される、請求項９から１２のいずれか一項に記載の装置。
【請求項１４】
前記イベントトレースは、前記アプリケーションに対して透過的である、請求項９から１３のいずれか一項に記載の装置。
【請求項１５】
前記イベントトレースは、ブロックされることなくターゲットアプリケーションが継続して実行するような前記アプリケーションと非同期である、請求項９から１４のいずれか一項に記載の装置。
【請求項１６】
システムにおけるアプリケーションを実行する段階と、
前記アプリケーションのためにイベントトレースを実行する段階と、
前記イベントトレースからのそれぞれの命令ポインタを分析する段階と、
命令ポインタがメモリのオーファンページに示すかどうかを判断する段階であって、前記メモリのオーファンページは、ロードされたモジュール外、または、前記アプリケーションに関連付けられるメモリ領域外のメモリの領域である、段階と
を備える、方法。
【請求項１７】
前記オーファンページは、前記アプリケーションと関連付けられていないコードの領域である、請求項１６に記載の方法。
【請求項１８】
前記オーファンページは、未確認のコードの領域である、請求項１６または１７に記載の方法。
【請求項１９】
前記システムは、オペレーティングシステム、および、前記イベントトレースを実行する前記オペレーティングシステムの一部である埋め込みアプリケーションを有する、請求項１６から１８のいずれか一項に記載の方法。
【請求項２０】
前記命令ポインタが前記アプリケーションと関連付けられていない異常コードに示すかどうかを判断する段階をさらに備える、請求項１６から１９のいずれか一項に記載の方法。
【請求項２１】
前記イベントトレースは、前記アプリケーションに対して透過的である、請求項１６から２０のいずれか一項に記載の方法。
【請求項２２】
前記イベントトレースは、ブロックされることなくターゲットアプリケーションが継続して実行するような前記アプリケーションと非同期である、請求項１６から２１のいずれか一項に記載の方法。
【請求項２３】
プロファイリングイベントに基づいたエクスプロイト検出のためのシステムであって、
前記システムは、
検出モジュールを備え、
前記検出モジュールは、
システムにおけるアプリケーションを実行し、
前記アプリケーションのためにイベントトレースを実行し、
前記イベントトレースからのそれぞれの命令ポインタを分析し、
命令ポインタがメモリのオーファンページに示すかどうかを判断する
ように構成され、前記メモリのオーファンページは、ロードされたモジュール外、または、前記アプリケーションに関連付けられるメモリ領域外のメモリの領域である、システム。
【請求項２４】
前記オーファンページは、前記アプリケーションと関連付けられていないコードの領域である、請求項２３に記載のシステム。
【請求項２５】
前記システムは、オペレーティングシステム、および、前記イベントトレースを実行する前記オペレーティングシステムの一部である埋め込みアプリケーションを有する、請求項２３または２４に記載のシステム。
【手続補正書】
【提出日】令和1年7月29日(2019.7.29)
【手続補正１】
【補正対象書類名】特許請求の範囲
【補正対象項目名】全文
【補正方法】変更
【補正の内容】
【特許請求の範囲】
【請求項１】
クラウドコンピューティングプラットフォームの１つまたは複数の第１の仮想マシン上で実行されているアプリケーションコントローラによって、クライアント装置上で実行されている開発環境からＭ２Ｍアプリケーションを受信するステップであって、前記Ｍ２Ｍアプリケーションが、前記クラウドコンピューティングプラットフォームから利用可能であるランタイム環境と互換性がある、ステップと、
前記アプリケーションコントローラによって、前記クラウドコンピューティングプラットフォームの１つまたは複数の第２の仮想マシン上で実行されているサービスプロバイダに、地理的領域データの要求を送信するステップと、
前記サービスプロバイダから地理的領域データを受信するステップと、
前記クライアント装置上で実行されている前記開発環境から、前記受信された地理的領域データに含まれる、ユーザによって選択された特定の地理的領域を受信するステップと、
前記アプリケーションコントローラによって、前記選択された地理的領域を前記Ｍ２Ｍアプリケーションに結び付けるステップと、
前記アプリケーションコントローラによって、前記編集されたＭ２ＭアプリケーションをＭ２Ｍアプリケーション配備パッケージにパッケージ化する（packaging）ステップと、
を含む、方法。
【請求項２】
前記Ｍ２Ｍアプリケーションが、Ｍ２Ｍネットワークを通じて複数のＭ２Ｍ装置に通信可能に結合されている、請求項１に記載の方法。
【請求項３】
各Ｍ２Ｍ装置が、限られたロジックを有するプロセッサと、メモリと、前記Ｍ２Ｍネットワークと通信する通信アダプタと、センサと、を含む、請求項２に記載の方法。
【請求項４】
前記Ｍ２Ｍアプリケーションが、前記複数のＭ２Ｍ装置から前記Ｍ２Ｍネットワークを通じてリアルタイムデータを受信する、請求項３に記載の方法。
【請求項５】
前記複数のＭ２Ｍ装置のうちの少なくとも１つのＭ２Ｍ装置が、
リアルタイムデータを処理して、動作をトリガーする特定のパラメータが満たされたかを判定するための十分なオンボードアプリケーションロジック、
を含む、
請求項３に記載の方法。
【請求項６】
前記トリガー動作が、前記リアルタイムデータを前記Ｍ２Ｍアプリケーションに転送するステップ、を含む、請求項２に記載の方法。
【請求項７】
前記Ｍ２Ｍアプリケーションが、ウェブアプリケーションを含む、請求項１に記載の方法。
【請求項８】
コンピュータ実装システムであって、
プロセッサと、
前記プロセッサと通信するメモリであって、前記メモリがプログラム命令を含み、前記プログラム命令が、前記プロセッサによって実行されたとき、以下の動作を実行する、前記メモリと、
前記以下の動作が、
Ｍ２Ｍアプリケーションを受信するステップであって、前記Ｍ２Ｍアプリケーションが、前記クラウドコンピューティングプラットフォームから利用可能であるランタイム環境と互換性がある、ステップと、
サービスプロバイダに地理的領域データの要求を送信するステップと、
前記サービスプロバイダから地理的領域データを受信するステップと、
前記受信された地理的領域データに含まれる、ユーザによって選択された特定の地理的領域を受信するステップと、
前記選択された地理的領域を前記Ｍ２Ｍアプリケーションに結び付けるステップと、
前記編集されたＭ２ＭアプリケーションをＭ２Ｍアプリケーション配備パッケージにパッケージ化するステップと、
を含む、
を備えている、コンピュータ実装システム。
【請求項９】
前記Ｍ２Ｍアプリケーションが、Ｍ２Ｍネットワークを通じて複数のＭ２Ｍ装置に通信可能に結合されている、請求項８に記載のシステム。
【請求項１０】
前記Ｍ２Ｍネットワークが、有線通信および無線通信の少なくとも１つを含む、請求項９に記載のシステム。
【請求項１１】
各Ｍ２Ｍ装置が、限られたロジックを有するプロセッサと、メモリと、前記Ｍ２Ｍネットワークと通信する通信アダプタと、センサと、を含む、請求項９に記載のシステム。
【請求項１２】
前記Ｍ２Ｍアプリケーションが、前記複数のＭ２Ｍ装置から前記Ｍ２Ｍネットワークを通じてリアルタイムデータを受信する、請求項９に記載のシステム。
【請求項１３】
前記複数のＭ２Ｍ装置のうちの少なくとも１つのＭ２Ｍ装置が、
リアルタイムデータを処理して、動作をトリガーする特定のパラメータが満たされたかを判定するための十分なオンボードアプリケーションロジック、
を含む、
請求項１２に記載のシステム。
【請求項１４】
前記トリガー動作が、前記リアルタイムデータを前記Ｍ２Ｍアプリケーションに転送するステップ、を含む、請求項１３に記載のシステム。
【請求項１５】
クラウドコンピューティングプラットフォームから利用可能であるランタイム環境と互換性があるＭ２Ｍアプリケーションを受信するステップと、
サービスプロバイダに地理的領域データの要求を送信するステップと、
前記サービスプロバイダから地理的領域データを受信するステップと、
前記受信された地理的領域データに含まれる、ユーザによって選択された特定の地理的領域を受信するステップと、
前記選択された地理的領域を前記Ｍ２Ｍアプリケーションに結び付けるステップと、
前記編集されたＭ２ＭアプリケーションをＭ２Ｍアプリケーション配備パッケージにパッケージ化するステップと、
をコンピュータに実行させるためのプログラム。
【請求項１６】
前記Ｍ２Ｍアプリケーションが、Ｍ２Ｍネットワークを通じて複数のＭ２Ｍ装置に通信可能に結合されている、請求項１５に記載のプログラム。
【請求項１７】
前記Ｍ２Ｍネットワークが、有線通信および無線通信の少なくとも１つを含む、請求項１６に記載のプログラム。
【請求項１８】
前記無線通信が、ＷｉＦｉ通信およびセルラー通信の少なくとも１つを含む、請求項１７に記載のプログラム。
【請求項１９】
各Ｍ２Ｍ装置が、限られたロジックを有するプロセッサと、メモリと、前記Ｍ２Ｍネットワークと通信する通信アダプタと、センサと、を含む、請求項１６に記載のプログラム。
【請求項２０】
前記Ｍ２Ｍアプリケーションが、ウェブアプリケーションを含む、請求項１５に記載のプログラム。